(57)【要約】【課題】ＥＴＣ専用レーンで車載器との通信が正常に行われなかったときに迅速に料金処理を行うことを可能にする。【解決手段】ＥＴＣカード処理システムは、有料道路の料金所が備える複数の車線の路側にそれぞれ配置されるカード処理装置を備える。カード処理装置は、挿入口に挿入されたＥＴＣカードに対して読み出し／書き込み処理を行う。読み出された情報は、料金所事務室に送信される。料金所の有人ブースには、複数のカード処理装置のうちのいずれかを選択するための選択釦を備えた車線選択装置が設置される。車線選択装置は、選択釦によって選択された被選択カード処理装置によって読み取られるカード情報に基づいて生成される精算情報を被選択カード処理装置に送信する。【選択図】図２
2007128296.tif 000002
【特許請求の範囲】
【請求項１】
有料道路の料金所が備える複数の車線の路側にそれぞれ配置され、ＥＴＣカードからカード情報を読み取り、読み取られた前記カード情報に基づいて生成される精算情報を前記ＥＴＣカードに書き込む複数のカード処理装置と、
前記料金所の料金所事務室に設置され、前記複数のカード処理装置のうちのいずれかを選択する選択情報を収集し、前記選択情報によって選択された被選択カード処理装置によって読み取られる前記カード情報に基づいて生成される前記精算情報を前記被選択カード処理装置に送信する車線選択装置
とを具備する
ＥＴＣカード処理システム。
【請求項２】
請求項１に記載されたＥＴＣカード処理システムであって、
前記複数のカード処理装置は発光部を備え、
前記車線選択装置は、前記選択情報と独立に前記発光部を選択して点灯するための発光部選択ボタンを備える
ＥＴＣカード処理システム。
【請求項３】
請求項２に記載されたＥＴＣカード処理システムであって、
前記車線選択装置は前記複数のカード処理装置にそれぞれ対応し前記選択情報を収集するための複数のカード処理部選択ボタンを備え、
前記複数の発光部選択ボタンと前記複数のカード処理部選択ボタンとは、前記複数の発光部と前記複数のカード処理装置との対応関係に一致するように配置されている
ＥＴＣカード処理システム。
【請求項４】
請求項１乃至３に記載されたＥＴＣカード処理システムであって、
前記複数のカード処理装置の各々は音声出力部を備え、
前記被選択カード処理装置は、カードを挿入することを促す音声を前記音声出力部によって出力する
ＥＴＣカード処理システム。
【請求項５】
請求項１乃至４に記載されたＥＴＣカード処理システムであって、
前記複数のカード処理装置の各々は、前記ＥＴＣカードが挿入される挿入口を閉鎖し、前記選択情報によって選択されたときにのみ前記挿入口を開放するシャッターを備える
ＥＴＣカード処理システム。
【請求項６】
請求項１乃至５に記載されたＥＴＣカード処理システムであって、
前記複数のカード処理装置の各々はカメラを備え、
更に、前記料金所事務室に設置され、前記被選択カード処理装置が備える前記カメラによって撮影された映像を出力するモニタを備える
ＥＴＣカード処理システム。
【請求項７】
請求項１乃至６に記載されたＥＴＣカード処理システムであって、
更に、前記複数の車線の各々を走行する車両の車載器と通信を行うＥＴＣアンテナと、
前記料金所事務室に設置され、前記車載器と前記ＥＴＣアンテナとの間の前記通信の成否を示す情報を出力する監視装置
とを具備する
ＥＴＣカード処理システム。
【請求項８】
有料道路の料金所が備えるＥＴＣ専用車線に進入する車両を検出するステップと、
ＥＴＣ路側器によって前記車両の車載器との通信を試みるステップと、
前記通信の成否を前記ＥＴＣ専用車線を識別する車線ＩＤと共に料金所事務室に設置された監視装置に出力するステップと、
前記料金所事務室に配備された作業者が、前記料金所事務室に設置された車線選択装置に設けられ前記監視装置の出力する前記車線ＩＤに対応する車線選択ボタンを操作するステップと、
操作された前記車線選択ボタンに対応する前記ＥＴＣ専用車線の路側に設置されたカード処理装置がカードを挿入することを促すメッセージを出力するステップと、
前記カード処理装置が挿入されたＥＴＣカードの情報を読み取るステップと、
読み取られた前記ＥＴＣカードの情報に基づいて精算情報を生成して前記ＥＴＣカードに書き込むステップ
とを具備する
ＥＴＣカード処理システムの使用方法。
【発明の詳細な説明】
【技術分野】
【０００１】
本発明は、ＥＴＣシステムを用いた有料道路の料金収受に関する。
【背景技術】
【０００２】
有料道路の料金を処理するために、ＥＴＣ（Ｅｌｅｃｔｒｏｎｉｃ  Ｔｏｌｌ  Ｃｏｌｌｅｃｔｉｏｎ）技術が使用されている。
【０００３】
特許文献１には、有料道路料金収受システムが記載されている。その有料道路料金収受システムは、車両側装置を有する車両か否かを、路上機が非接触カードのＩＤ情報を読取れたか否かにより判断し、非接触カードを有する車両が進入してきた時は通行券の発行、回収、料金徴収を不要として一旦停止させることなく通過させ、ＩＤ情報を読取れない車両が進入してきたときは一旦停止させ、入口料金所では通行券を発行し、出口料金所では通行券を回収して料金を徴収する。
【特許文献１】特開平５‐２１７０４１号公報
【発明の開示】
【発明が解決しようとする課題】
【０００４】
本発明の目的は、ＥＴＣ専用レーンで車載器との通信が正常に行われなかったときに迅速に料金処理を行うことを可能にするＥＴＣカード処理システムを提供することである。
本発明の他の目的は、ＥＴＣ専用レーンで車載器との通信が正常に行われなかったときの料金処理を簡単な構成で実行するＥＴＣカード処理システムを提供することである。
【課題を解決するための手段】
【０００５】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００６】
本発明によるＥＴＣカード処理システムは、有料道路の料金所が備える複数の車線（２）の路側にそれぞれ配置され、ＥＴＣカードからカード情報を読み取り、読み取られたカード情報に基づいて生成される精算情報をＥＴＣカードに書き込む複数のカード処理装置（１０）と、料金所事務室（１４）に設置され、複数のカード処理装置（１０）のうちのいずれかを選択する選択情報を収集し、選択情報によって選択された被選択カード処理装置によって読み取られるカード情報に基づいて生成される精算情報を被選択カード処理装置に送信する車線選択装置（２０）とを備える。
【０００７】
本発明によるＥＴＣカード処理システムにおいて、複数のカード処理装置（１０）は発光部（３２）を備える。車線選択装置（２０）は、選択情報と独立に発光部（３２）を選択して点灯するための発光部選択ボタン（５６）を備える。
【０００８】
本発明によるＥＴＣカード処理システムにおいて、車線選択装置（２０）は複数のカード処理装置（１０）にそれぞれ対応し選択情報を収集するための複数のカード処理部選択ボタン（５８）を備える。複数の発光部選択ボタン（５６）と複数のカード処理部選択ボタン（５８）とは、複数の発光部（３２）と複数のカード処理装置（１０）との対応関係に一致するように配置されている。
【０００９】
本発明によるＥＴＣカード処理システムにおいて、複数のカード処理装置（１０）の各々は音声出力部（３０）を備える。被選択カード処理装置は、カードを挿入することを促す音声を音声出力部によって出力する。
【００１０】
本発明によるＥＴＣカード処理システムにおいて、複数のカード処理装置（１０）の各々は、ＥＴＣカードが挿入される挿入口（２５）を閉鎖し、選択情報によって選択されたときにのみ挿入口（２５）を開放するシャッター（２８）を備える。
【００１１】
本発明によるＥＴＣカード処理システムにおいて、複数のカード処理装置（１０）の各々はカメラ（３４）を備える。ＥＴＣカード処理システムは更に、料金所事務室（１４）に設置され、被選択カード処理装置が備えるカメラ（３４）によって撮影された映像を出力するモニタ（５２）を備える。
【００１２】
本発明によるＥＴＣカード処理システムは、複数の車線（２）の各々を走行する車両の車載器と通信を行うＥＴＣアンテナ（８）と、料金所事務室（１４）に設置され、車載器とＥＴＣアンテナ（８）との間の通信の成否を示す情報を出力する監視装置（１６）とを備える。
【００１３】
本発明によるＥＴＣカード処理システムの使用方法は、有料道路の料金所が備えるＥＴＣ専用車線（２）に進入する車両を検出するステップ（Ｓ２）と、ＥＴＣ路側器（８）によって車両の車載器との通信を試みるステップ（Ｓ６）と、通信の成否をＥＴＣ専用車線（２）を識別する車線ＩＤと共に料金所事務室（１４）に設置された監視装置（１６）に出力するステップ（Ｓ１２）と、料金所事務室（１４）に配備された作業者が、料金所事務室（１４）に設置された車線選択装置（２０）に設けられ監視装置（１６）の出力する車線ＩＤに対応する車線選択ボタン（５８）を操作するステップ（Ｓ１８）と、操作された車線選択ボタン（５８）に対応するＥＴＣ専用車線（２）の路側に設置されたカード処理装置（１０）がカードを挿入することを促すメッセージを出力するステップ（Ｓ２０）と、カード処理装置（１０）が挿入されたＥＴＣカードの情報を読み取るステップ（Ｓ２２）と、読み取られたＥＴＣカードの情報に基づいて精算情報を生成してＥＴＣカードに書き込むステップ（Ｓ２４）とを備える。
【発明の効果】
【００１４】
本発明によれば、ＥＴＣ専用レーンで車載器との通信が正常に行われなかったときに迅速に料金処理を行うことを可能にするＥＴＣカード処理システムが提供される。
更に本発明によれば、ＥＴＣ専用レーンで車載器との通信が正常に行われなかったときの料金処理を簡単な構成で実行するＥＴＣカード処理システムが提供される。
【発明を実施するための最良の形態】
【００１５】
以下、図面を参照しながら本発明によるＥＴＣカード処理システムについて説明する。図１は、本実施の形態におけるＥＴＣカード処理システムが適用される有料道路の料金所の構成を示す。
【００１６】
料金所は、複数の車線２を備える。図１には、図中に記載されている数字を正しい向きで見る方向から紙面を見たときに車両が右側から左側に走行する車線のみ描かれている。車線２はＥＴＣ専用の車線であり、路側に収受員ブースは設置されていない。各々の車線２の入口には、車線２に車両が進入したことを検知する車両検知器４が設置されている。入口には更に、車両検知器４によって検知される車両の車高、車幅等を検出して車種を判別する車種判別装置６が設けられている。各々の車線２には、入口から進入した車両のＥＴＣ車載器と無線通信を行い、料金処理のための情報の授受を行うＥＴＣアンテナ８が設置される。各々の車線２には、ＥＴＣアンテナ８の下流側の路側に、カード処理装置１０が設置される。図１には３車線が描かれており、各々の車線に対応してカード処理装置１０‐１、１０‐２及び１０‐３が描かれている。カード処理装置１０の下流側には、発進制御器１２が設置される。各々の車線２の路側には車線サーバ１９が設置される。車線サーバ１９はコンピュータシステムを含み、当該車線２に設置される車両検知器２、車種判別装置６及びＥＴＣアンテナ８と通信可能に接続される。
【００１７】
料金所には、作業者が中に入って作業を行う料金所事務室１４が設置される。料金所事務室１４には、相互に通信可能に接続される監視装置１６、料金所サーバ１８及び車線選択装置２０が設置される。監視装置１６は、ＥＴＣアンテナ８の通信が成功しなかったときに音声や光によって警告を発すると共に車線を特定する情報を表示する。料金所サーバ１８は複数の車線サーバ１９と通信可能に接続される。車線選択装置２０は、複数のカード処理装置１０に接続される。
【００１８】
図２は、複数のカード処理装置１０のうちの任意の１つと車線選択装置２０との構成を示す。カード処理装置１０は、ＩＣカードのＩＣチップに対して情報の読み書きを行うＩＣカードリーダ／ライタを備えたＩＣカード処理部２２を備える。ＩＣカード部２２はインターフェース２４を介して車線選択装置２０と通信可能に接続される。カード処理装置１０は更に、挿入口案内用ＬＥＤ２６、挿入口シャッター２８、音声案内スピーカ３０、回転灯３２及びカメラ３４を備える。挿入口案内用ＬＥＤ２６、挿入口シャッター２８、音声案内スピーカ３０、回転灯３２及びカメラ３４は、インターフェース３６を介して車線選択装置２０と通信可能に接続される。
【００１９】
車線選択装置２０は、入力装置である操作部４６を備える。操作部４６は、切換部４４に接続される。切換部４４は、インターフェース４０を介してカード処理装置１０‐１、１０‐２、１０‐３…が備えるＩＣカード処理部２２に接続される。操作部４４は更に、インターフェース４２を介してカード処理装置１０‐１、１０‐２、１０‐３…が備える挿入口案内用ＬＥＤ２６、挿入口シャッター２８、音声案内スピーカ３０、回転灯３２及びカメラ３４に接続される。切換部４４、操作部４６、インターフェース４０及びインターフェース４２は、簡易ＩＣＣ処理装置制御部３８の筐体に収納される。
【００２０】
車線選択装置２０は更に、カメラ３４の動作を制御するカメラコントローラ５０と、カメラ３４が撮影する画像を表示するモニタ５２と、ＩＣカード処理部２２によって読み取られる情報を処理し、ＩＣカード処理部２２によってＩＣカードに書き込まれる情報を生成するＩＣカード情報処理装置４８とを備える。切換部４４は、カメラコントローラ５０、モニタ５２及びＩＣカード情報処理装置４８に接続される。切換部４４は更に、料金所サーバ１８に接続される。
【００２１】
図３は、カード処理装置１０の外形を示す。カード処理装置１０は、正面が車線２の方に向いた状態で路側に設置される。挿入口案内用ＬＥＤ２６は、カード処理装置１０の正面に設置される。ＩＣカード処理部２２のＥＴＣカード挿入口２５は、カード処理装置１０の正面の、挿入口案内用ＬＥＤ２６の近くに開口する。ＥＴＣカード挿入口２５には、電気的な信号に応答して開閉する挿入口シャッター２８が設けられる。挿入口シャッター２８により、ＥＴＣカード挿入口２５に塵埃または水分が浸入することが防がれる。音声案内スピーカ３０は、カード処理装置１０の正面に設置される。回転灯３２は、カード処理装置１０の筐体の天面の上、あるいは正面の上端付近に設置される。カメラ３４は、車線２に立つ人が手を差し出しやすい場所に焦点が合うように設置される。
【００２２】
図４は、操作部４６が備える入力装置を示す。操作部４６は、複数のアラーム確認用ＬＥＤ５４を備える。複数のアラーム確認用ＬＥＤ５４は、複数の車線２にそれぞれ対応する。各々のアラーム確認用ＬＥＤ５４に対応して隣接する位置に、回転灯釦５６が対応して設けられる。各々の回転灯釦５６に対応して隣接する位置に、車線選択釦６０が設けられる。複数の車線選択釦６０が設けられている領域に隣接して、１個の解除釦６０が設けられる。
【００２３】
図５は、本実施の形態におけるＥＴＣカード処理システムの動作を説明するフローチャートである。
【００２４】
ステップＳ２：車両が料金所の車線２に進入する。車両検知器４は車両の存在を検出して信号を車線サーバ１９に送信する。
ステップＳ４：車種判別装置６は車両の車種を判別するための情報を収集して車線サーバ１９に送信する。
【００２５】
ステップＳ６：ＥＴＣアンテナ８は車両に向かって電波を送り、通信を試みる。車両がＥＴＣ車載器を備えており、そのＥＴＣ車載器との通信が成功すると、料金所サーバ１８のプログラムの指示により処理はステップＳ８に移行する。通信が成功しないと、処理はステップＳ１２に移行する。
【００２６】
ステップＳ８：料金所サーバ１８はＥＴＣアンテナ８が読み取ったＥＴＣ車載器の情報を用いて自動的に料金の処理を行う。
ステップＳ１０：料金所サーバ１８は車両のＥＴＣカードに書き込むべき情報を生成し、ＥＴＣアンテナ８を介してＥＴＣ車載器に送信する。
ステップＳ２６：車線サーバ１９は車両に発進を許可し、発進制御機１２を開ける。
【００２７】
ステップＳ１２：ＥＴＣアンテナ８が車両との通信に成功しなかったとき、通信が成功しなかったことを示す情報とそのＥＴＣアンテナ８が設置されている車線２とを特定する情報とを含む信号が料金所サーバ１８に送信される。監視装置１６は、料金所事務室１４にいる作業者に光または音声で警告信号を出力し、通信が成功しなかった車線２である通信不成功車線を特定する情報を出力する。更に、操作部４６の通信不成功車線に対応するアラーム確認用ＬＥＤ５４が点灯する。
【００２８】
ステップＳ１４：作業者は、監視装置１６を確認し、さらに通信不成功車線の様子を目視で確認する。
【００２９】
ステップＳ１６：作業者は、通信不成功車線に対応する回転灯釦５６を押下する。その押下に応答して、通信不成功車線に設置されたカード処理装置１０の回転灯３２が点灯し回転する。
通信不成功車線にいる車両の乗員は、ＥＴＣレーンに入ったにもかかわらず通信がうまくいかなかったことにより、どのような処理を行えばよいのか戸惑っている可能性が高い。その際、路側に設置されたカード処理装置１０の回転灯３２が点灯することにより、カード処理装置１０に対して乗員の注意が向けられる。
【００３０】
ステップＳ１８：作業者は、通信不成功車線に対応する車線選択釦５８を押下する。切換部４４は、その押下に応答して、ＩＣカード情報処理装置４８、料金所サーバ１８、カメラコントローラ５０及びモニタ５２が、複数のカード処理装置１０のうちの通信不成功車線に設置されたカード処理装置１０と情報通信するように設定する。
【００３１】
ステップＳ２０：車線選択釦５８の押下に応答して、通信不成功車線のカード処理装置１０は以下の動作を行う。挿入口案内用ＬＥＤ２６が点灯する。通常時は閉じている挿入口シャッター２８が開いてＥＴＣカードをＥＴＣカード挿入口２５に挿入することが可能な状態になる。音声案内スピーカ３０からＥＴＣカードを挿入することを促す予め設定された音声案内が出力される。
【００３２】
ステップＳ２２：車両の乗員は音声案内に従ってＥＴＣカードを取り出し、車内から手を伸ばして、あるいは車両から降りて、挿入口案内用ＬＥＤ２６を目印にしてＥＴＣカード挿入口２５を視認してＥＴＣカードを挿入する。ＩＣカード処理部２２は挿入されたＥＴＣカードから情報を読み取って車線選択装置２０に送信する。乗員が有料道路の料金について障害者割引の適用を受けられる場合、障害者手帳など所定の書類をカメラ３４に対して提示する。カメラ３４の映像は車線選択装置２０に送信される。
【００３３】
ステップＳ２４：切換部４４は、通信不成功車線のカメラ３４の映像をモニタ５２に表示する。モニタ５２に所定の書類が表示されたとき、作業者は料金所サーバ１８に対して割引を適用するための所定の入力操作を行う。切換部４４は、通信不成功車線のＩＣカード処理部２２から送信されたＥＴＣカードの情報をＩＣカード情報処理装置４８に送信する。ＩＣカード情報処理装置４８は料金処理を実行し、ＥＴＣカードに書き込む書込情報を生成して簡易ＩＣＣ処理装置制御部３８に送信する。切換部４４は、書込情報を通信不成功車線のカード処理装置１０に送信する。カード処理装置１０は受信した書込情報をＥＴＣカードに書き込み、ＥＴＣカード挿入口２５からＥＴＣカードが取り出せるようにイジェクトする。乗員がイジェクトされたＥＴＣカードを抜き取ると、挿入口シャッター２８が閉じる。作業員が解除釦６０を押下すると、回転灯３２が点灯・回転を停止し、複数のカード処理装置１０のいずれもが簡易ＩＣＣ処理装置制御部３８によって選択されていない状態になる。
【００３４】
ステップＳ２６：作業員は通信不成功車線の発進制御機を開け、車両に対して発進を許可する。
【００３５】
こうしたＥＴＣカード処理システムによれば、ＥＴＣ専用レーンにおいてＥＴＣアンテナと車載器との間で通信が不成功であった場合に、料金所の作業者が車線まで出向くことが不要になる。そのため、処理時間が短縮され、作業者が安全な場所で作業できる。複数のカード処理装置に対してＩＣカード情報処理装置、モニタ、カメラコントローラは一台であるため、装置構成が簡単である。通信が不成功である場合はイレギュラーな処理である場合が多いため、本実施の形態における作業員が状況を確認しながら操作できるＥＴＣカード処理システムは、全自動のシステムよりも状況に柔軟に対応できる。
【図面の簡単な説明】
【００３６】
【図１】図１は、料金所の構成を示す。
【図２】図２は、カード処理装置と車線選択装置の構成を示す。
【図３】図３は、カード処理装置の外形を示す。
【図４】図４は、操作部が備える入力装置を示す。
【図５】図５は、ＥＴＣカード処理システムの動作を説明するフローチャートである。
【符号の説明】
【００３７】
２…車線
４…車両検知器
６…車種判別装置
８…ＥＴＣアンテナ
１０…カード処理装置
１２…発進制御機
１４…料金所事務室
１６…監視装置
１８…料金所サーバ
１９…車線サーバ
２０…車線選択装置
２２…ＩＣカード処理部
２４…インターフェース
２５…ＥＴＣカード挿入口
２６…挿入口案内用ＬＥＤ
２８…挿入口シャッター
３０…音声案内スピーカ
３２…回転灯
３４…カメラ
３６…インターフェース
３８…簡易ＩＣＣ処理装置制御部
４０…インターフェース
４２…インターフェース
４４…切換部
４６…操作部
４８…ＩＣカード情報処理装置
５０…カメラコントローラ
５２…モニタ
５４…アラーム確認用ＬＥＤ
５６…回転灯釦
５８…車線選択釦
６０…解除釦
【図１】
2007128296.tif 000003
【図２】
2007128296.tif 000004
【図３】
2007128296.tif 000005
【図４】
2007128296.tif 000006
【図５】
2007128296.tif 000007